(57)【要約】【課題】空調機能を有する照明装置を提供する。【解決手段】照明装置１は、両端の少なくとも一方に開口部１０ｃを有する筒体１０と、筒体１０の外側面１０ｅの外側に設けられている光源２０と、筒体１０の内部の空気を開口部１０ｃを通して送り出す送風器３０とを備える。【選択図】図１Ｂ
2017091973.tif 000002
【特許請求の範囲】
【請求項１】
両端の少なくとも一方に開口部を有する筒体と、
前記筒体の外側面の外側に設けられている光源と、
前記筒体の内部の空気を前記開口部を通して送り出す送風器と
を備える照明装置。
【請求項２】
前記照明装置で光を投光する投光方向と、前記空気を送り出す送風方向とが同じ方向である
請求項１に記載の照明装置。
【請求項３】
前記筒体の外側面には、前記光源を支持する支持部が形成され、
前記光源は、半導体発光素子を含み、前記半導体発光素子の出射光が前記投光方向に出射するように前記支持部に設けられている
請求項２に記載の照明装置。
【請求項４】
前記光源は、半導体発光素子を含み、前記半導体発光素子の出射光が前記投光方向と異なる方向に出射するように前記外側面に設けられ、
さらに、前記照明装置は、
前記出射光を前記投光方向に反射する反射体を備える
請求項２に記載の照明装置。
【請求項５】
前記外側面は、前記投光方向に対して傾斜して形成されている
請求項４に記載の照明装置。
【請求項６】
前記送風器は、複数の羽根を有する回転羽根と、前記回転羽根を回転させるモータとにより構成され、
前記回転羽根は、前記筒体の内部に設けられている
請求項１乃至５のいずれか一項に記載の照明装置。
【請求項７】
さらに、
前記筒体、光源及び送風器を収納する筺体と、
前記光源及び前記送風器に電力を供給するための口金であって、前記筺体の、前記投光方向とは反対側の端部に設けられている口金とを備える
請求項２乃至６のいずれか一項に記載の照明装置。
【請求項８】
前記光源は、前記外側面の周囲近傍に複数配置されている
請求項１乃至７のいずれか一項に記載の照明装置。
【請求項９】
さらに、
透光性を有し、通気性を有しないカバーを備え、
前記カバーは、前記開口部を覆わず前記光源を覆うように、前記光源の前記投光方向に設けられている
請求項２乃至８のいずれか一項に記載の照明装置。
【請求項１０】
前記筒体には、前記筒体の内部に空気を取り入れるための通気孔が形成されている
請求項１乃至９のいずれか一項に記載の照明装置。
【請求項１１】
さらに、
前記筒体の内部に、前記筒体の内部の空気を冷却する冷却体を備える
請求項１乃至１０のいずれか一項に記載の照明装置。
【請求項１２】
前記光源は、前記外側面の周囲に複数設けられており、
前記冷却体は、前記筒体の内側面に沿って前記筒体に当接されている
請求項１１に記載の照明装置。
【発明の詳細な説明】
【技術分野】
【０００１】
本発明は、送風器を備える照明装置に関する。
【背景技術】
【０００２】
発光ダイオード（ＬＥＤ：Ｌｉｇｈｔ  Ｅｍｉｔｔｉｎｇ  Ｄｉｏｄｅ）等の半導体発光素子は、小型、高効率及び長寿命であることから、様々な製品の光源として期待されている。例えば、ＬＥＤを光源とする照明装置（ＬＥＤ照明）が実用化されている。
【０００３】
ＬＥＤ照明としては、電球形蛍光灯や白熱電球に代替する電球形ＬＥＤランプ（ＬＥＤ電球）、あるいは、直管形蛍光灯に代替する直管形ＬＥＤランプ等がある。例えば、特許文献１には、従来の電球形ＬＥＤランプが開示されている。
【先行技術文献】
【特許文献】
【０００４】
【特許文献１】特開２００６−３１３７１７号公報
【発明の概要】
【発明が解決しようとする課題】
【０００５】
照明装置では、照明機能以外の付加機能を必要とするニーズがある。例えば、照明装置の付加機能として空調機能が考えられるが、照明装置に単純に空調機能を付加することは難しい。
【０００６】
本発明は、このような課題を解決するためになされたものであり、空調機能を有する照明装置を提供することを目的とする。
【課題を解決するための手段】
【０００７】
上記の課題を解決するための照明装置の一態様は、両端の少なくとも一方に開口部を有する筒体と、筒体の外側面の外側に設けられている光源と、筒体の内部の空気を開口部を通して送り出す送風器とを備える。
【発明の効果】
【０００８】
空調機能を有する照明装置を提供することができる。
【図面の簡単な説明】
【０００９】
【図１Ａ】実施の形態１に係る照明装置の平面図である。
【図１Ｂ】実施の形態１に係る照明装置の側面の断面図である。
【図２Ａ】実施の形態２に係る照明装置の平面図である。
【図２Ｂ】実施の形態２に係る照明装置の側面の断面図である。
【図３Ａ】実施の形態３に係る照明装置の平面図である。
【図３Ｂ】実施の形態３に係る照明装置の側面の断面図である。
【図４】実施の形態３に係る照明装置の使用例を示す図である。
【発明を実施するための形態】
【００１０】
以下、実施の形態に係る照明装置について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略または簡略化する。
【００１２】
（実施の形態１）
本実施の形態に係る照明装置は、送風器を備える照明装置であり、例えば、洗面所、脱衣室又はトイレなど、人が出入りするような所定の場所にて用いられる。
【００１３】
本実施の形態に係る照明装置１は、図１Ａ及び図１Ｂに示されるように、開口部１０ｃを有する筒体１０と、筒体１０の外側面１０ｅの外側に設けられている光源２０と、筒体１０の内部の空気を開口部１０ｃを通して送り出す送風器３０とを備えている。さらに、照明装置１は、筒体１０、光源２０及び送風器３０を収納する筺体４０と、筺体４０に設けられた口金４１と、光源２０を覆うカバー４５と、光源２０及び送風器３０を駆動するための駆動回路（図示省略）とを備えている。なお、図１Ａ及び図１Ｂでは、光源２０又は送風器３０と口金４１とを繋ぐ配線等の記載を省略している。以下、照明装置１の詳細な構成を説明する。
【００１４】
筒体１０は、側面部１０ａ、底面部１０ｂ及び開口部１０ｃを有する円筒状の基材である。側面部１０ａには、筒体軸（筒体１０の軸）１０ｆに沿って平行に延びる内側面１０ｄ及び外側面１０ｅが形成されている。開口部１０ｃは、筒体１０の両端のうちの少なくとも一方に設けられている。この照明装置１は、送風器３０で生成した風（気流）により、筒体１０の内部の空気を開口部１０ｃを通して送り出すように構成されている。本実施の形態では、空気を送り出す送風方向Ｄ２が、筒体軸１０ｆに対して平行である。
【００１５】
筒体１０の外側面１０ｅには、光源２０を支持するための鍔状の支持部１１が形成されている。支持部１１は、筒体軸１０ｆに対して垂直方向に、外側面１０ｅから外側に突出している。筒体１０は、支持部１１も含め、熱伝導率の高い金属材料又は樹脂材料により形成されている。
【００１６】
光源２０は、図１Ａに示されるように、外側面１０ｅの周囲に複数設けられている。本実施の形態では、８つの光源２０が等角度間隔で支持部１１に取り付けられている。また、平面方向における照明装置１の小型化を図るため、それぞれの光源２０は筒体１０の外側面１０ｅの周囲近傍に配置されている。
【００１７】
光源２０は、半導体発光素子２１と、半導体発光素子２１が実装されている実装基板２２とで構成されている。半導体発光素子２１は、実装基板２２の下面に対して垂直な方向に光を出射するように、実装基板２２に固定されている。
【００１８】
これらの光源２０は、個々にパッケージ化された表面実装（ＳＭＤ：Ｓｕｒｆａｃｅ  Ｍｏｕｎｔ  Ｄｅｖｉｃｅ）型のＬＥＤ素子であり、容器（パッケージ）と、容器内に一次実装されたＬＥＤチップと、ＬＥＤチップを封止する封止部材とを有する。ＳＭＤ型のＬＥＤ素子である発光素子は、実装基板２２に二次実装されている。
【００１９】
容器は、白色樹脂からなる樹脂成形品又は白色のセラミック成形品であり、逆円錐台形状の凹部（キャビティ）を有する。ＬＥＤチップは、容器の凹部の底面に実装されている。ＬＥＤチップは、所定の直流電力により発光する半導体発光素子の一例であって、単色の可視光を発するベアチップである。封止部材は、シリコーン樹脂等の透光性の絶縁性樹脂材料であり、容器の凹部に充填されている。封止部材としては、例えばＬＥＤチップが青色ＬＥＤチップである場合、白色光を得るために、黄色蛍光体粒子をシリコーン樹脂に分散させた蛍光体含有樹脂を用いることができる。これにより、黄色蛍光体粒子は青色ＬＥＤチップの青色光によって励起されて黄色光を放出するので、封止部材からは、黄色蛍光体粒子からの黄色光と青色ＬＥＤチップからの青色光との合成光として白色光が放出される。
【００２０】
なお、半導体発光素子２１としてＬＥＤを例示したが、半導体レーザなどの半導体発光素子、有機ＥＬ（Ｅｌｅｃｔｒｏ  Ｌｕｍｉｎｅｓｃｅｎｃｅ）又は無機ＥＬ等、その他の固体発光素子を用いてもよい。
【００２１】
実装基板２２としては、例えば、アルミニウム又は銅等の金属材料からなる基材に絶縁被膜を施すことで得られるメタルベース基板、アルミナ等のセラミック材料の焼結体であるセラミックス基板、又は、樹脂材料からなる樹脂基板等が用いられる。半導体発光素子２１で発生する熱の放熱の観点では、これらの中で熱伝導率が最も高いメタルベース基板を用いるとよい。なお、実装基板２２は、リジッド基板であるが、フレキシブル基板であってもよい。
【００２２】
図１Ｂに示されるように、光源２０は、半導体発光素子２１の出射光の光軸が筒体軸１０ｆに対して平行となるように、支持部１１に設けられている。具体的には、実装基板２２の下面を支持部１１上に当接させ固定することで、出射光の出射方向Ｄ３を筒体軸１０ｆに対して平行にしている。この構造により、半導体発光素子２１の光の出射方向Ｄ３と、空気を送り出す送風方向Ｄ２とが同じ方向になっている。なお、本実施の形態では、出射方向Ｄ３が、照明装置１から光を投光する投光方向Ｄ１となっている。
【００２３】
送風器３０は、例えば、サーキュレータであり、複数の羽根を有する回転羽根３１と、回転羽根３１を回転させるモータ３２とにより構成されている。モータ３２は筒体１０の底面部１０ｂの外側の面（開口部１０ｃと反対側の面）に取付けられている。回転羽根３１は、筒体１０の内部に位置するように、モータ３２の軸に固定されている。回転羽根３１の中心軸は、筒体軸１０ｆと平行となるように取付けられている。
【００２４】
そして、この送風器３０は、回転羽根３１を回転させることで、筒体１０の外部から内部に空気を取り入れるとともに、筒体１０の内部の空気を開口部１０ｃを通して外部に送り出すことができるように構成されている。なお、筒体１０の内部に空気を取り入れるため、筒体１０の底面部１０ｂ側に通気孔４２を形成してもよい。
【００２５】
送風器３０としては、前述したサーキュレータの代わりに、遠心ポンプ又はダイヤフラムポンプを用いることができる。その場合、遠心ポンプ又はダイヤフラムポンプを筒体１０の外部に設け、筒体１０の底面部１０ｂに開口を形成し、その開口に遠心ポンプ又はダイヤフラムポンプで生成した気流を入れることで、筒体１０の内部の空気を送り出すことができる。
【００２６】
筺体４０は、筒体１０、光源２０及び送風器３０を収納するように、筒体１０の底面部１０ｂ側に設けられている。筺体４０は、筺体本体４０ａと、筺体本体４０ａから投光方向Ｄ１の反対側に突出する突出部４０ｂとを有している。突出部４０ｂの端部４０ｃには、駆動回路を介して光源２０及び送風器３０に電力を供給するための口金４１が設けられている。
【００２７】
また、光源２０の投光方向Ｄ１側には、透光性を有し、通気性を有しないカバー４５が設けられている。カバー４５は、平面視して環状であり、筒体１０の開口部１０ｃを覆わず光源２０を覆うように、筺体４０に固定されている。カバー４５の材料としては、可視光に対して透明なシリカガラス等のガラス材、又は、アクリル（ＰＭＭＡ）やポリカーボネート（ＰＣ）等の樹脂材等からなる透光性材料を用いることができる。カバー４５には、光源２０から放出される光を拡散させるための拡散処理が施されていてもよい。なお、開口部１０ｃは通気性を有するネット状のカバーにより覆われていてもよい。
【００２８】
本実施の形態に係る照明装置１は、筒体１０の外側に設けられた光源２０と、筒体１０の内部の空気を送り出す送風器３０とを備えている。これにより、空調機能を有する照明装置１を実現している。この照明装置１を用いることで、所定の場所を照らすとともに、その場所に空気を送り込むことができる。また、空気を送り込むことで、その場所における空気を循環させることができる。
【００２９】
また、照明装置１は、光源２０が筒体１０の支持部１１上に設けられ、光源２０により発生した熱が、支持部１１及び側面部１０ａを経由して筒体１０の内部に伝わる構造となっている。そして、送風器３０で筒体１０の内部に空気の流れを発生させることで、熱により暖められた筒体１０の内部の空気を外部に送り出すように構成されている。すなわち、この照明装置１では、筒体１０の内側面１０ｄ側の温度を外側面１０ｅ側の温度よりも低くし、外側面１０ｅ側で発生した熱を内側面１０ｄ側に移動させ、放熱している。これにより、筒体１０の外側に位置する光源２０の温度上昇を抑制することができる。
【００３０】
また、照明装置１は、筒体１０の外側から光を出射し、筒体１０の内部から空気を送り出すように構成され、平面視した場合に、筒体１０の側面部１０ａを境界として、光を出射する領域と空気を送る領域とが分離されている。これにより、送風器３０で生成した風が光源２０に触れることを抑制し、埃などを起因とする光源２０の電気接触不良を抑制することができる。
【００３１】
なお、本実施の形態では、開口部１０ｃが筒体１０の両端のうちの一方に設けられている例を示したが、開口部１０ｃは、筒体１０の両端にそれぞれ設けられていてもよい。両端に開口を有する長尺状の筒体１０を用いる場合は、光源２０を筒体１０の一方の開口部１０ｃ（空気を送り出す側）の近傍に配置し、送風器３０を他方の開口側に配置すればよい。
【００３２】
また、本実施の形態では、筒体１０及び筺体４０を異なる部材で形成した例を示したが、筒体１０と筺体４０とを一体物で形成することも可能である。一体物で形成する場合、例えば、筺体４０の一端側に筒状に突出した筒体部を設け、筒体部の外側面の外側に光源２０を設け、筒体部の内部に回転羽根３１を設けるなどして、筒体部の内部の空気を送り出すように構成すればよい。
【００３３】
また、本実施の形態では、筒体１０の支持部１１を、筒体１０の外側に突出させて形成する例を示したが、支持部１１は、外側面１０ｅ側に形成された溝であってもよい。この溝に実装基板２２を差し込むことで、光源２０を支持することができる。
【００３４】
また、本実施の形態では、半導体発光素子２１それぞれに対応して実装基板２２を設ける例を示したが、実装基板２２を１つの環状の基板により構成して、その基板上に複数の半導体発光素子２１を配置するようにしてもよい。
【００３５】
（実施の形態２）
図２Ａ及び図２Ｂは、実施の形態２に係る照明装置１Ａを示す図である。この照明装置１Ａでは、出射光が傾いた方向に出射され、その傾いた方向の出射光を反射体５１を用いて投光方向Ｄ１に向けるように構成されている。
【００３６】
照明装置１Ａの筒体１０の外側面１０ｅは、筒体軸１０ｆに対して傾斜している。具体的には、筒体１０の開口部１０ｃから底面部１０ｂに向かう方向において、外周長が徐々に大きくなるように形成されている。すなわち、外側面１０ｅが、投光方向Ｄ１及び送風方向Ｄ２に対して傾斜して形成されている。
【００３７】
光源２０は、この傾斜した外側面１０ｅに設けられている。具体的には、光源２０は、実装基板２２の下面が外側面１０ｅに当接して固定されている。これにより、出射光が投光方向Ｄ１と異なる方向に出射するようにしている。本実施の形態では、出射光の出射方向Ｄ３は、投光方向Ｄ１に対して鋭角である。
【００３８】
光源２０の外側には円環状の反射体５１が設けられている。反射体５１は、出射光を投光方向Ｄ１に向けて反射するように設けられている。反射体５１は、光を反射する光学部品であり、例えば、レンズ、ミラー又はプリズムなどが挙げられる。なお、反射体５１を複数とし、光源２０に一対一で対応するように設けてもよい。
【００３９】
本実施の形態に係る照明装置１Ａでは、光源２０を筒体１０の外側面１０ｅに直接設けているので、光源２０と筒体１０の内部との距離が近くなっている。これにより、光源２０で発生した熱を、側面部１０ａを介してすぐに筒体１０の内部に伝え、すばやく放熱することができる。
【００４０】
また、出射方向Ｄ３を投光方向Ｄ１に対して鋭角にしているので、投光方向Ｄ１に対して垂直に光を出射させた場合に比べて、反射体５１の構造を簡略化することができる。また、光源２０の実装基板２２を傾斜させて取り付けているので、傾斜させずに取り付けた場合に比べて、筒体１０の長さを短くでき、照明装置１Ａを小型化することができる。
【００４１】
なお、本実施の形態では、光源２０の実装基板２２を傾斜させて取り付けた例を示したが、傾斜させずに、出射方向Ｄ３が投光方向Ｄ１に対して垂直となるように光源２０を取り付けてもよい。例えば、筒体１０の外側面１０ｅを筒体軸１０ｆに対して平行に形成し（側面部１０ａの厚みを均一にし）、その外側面１０ｅに実装基板２２の下面を当接させ固定することで、出射方向Ｄ３を筒体軸１０ｆに対して垂直にする。そして、垂直に出射された出射光を特定の反射体を用いて反転させれば、出射光を投光方向Ｄ１に向けることができる。これにより、光源２０で発生した熱をすぐに筒体１０の内部に伝えることができ、すばやく放熱することができる。
【００４２】
（実施の形態３）
図３Ａ及び図３Ｂは、実施の形態３に係る照明装置１Ｂを示す図である。この照明装置１Ｂでは、筒体１０の内側に冷却体５５が設けられている。
【００４３】
冷却体５５は、管状であり、筒体１０の内側面１０ｄに沿って、筒体１０に当接して形成されている。この冷却体５５には、配管５６を介して、外部の熱交換器５７（図４参照）から冷媒が供給される。冷却体５５に供給された冷媒は、筒体１０の内部の熱を吸収して、熱交換器５７に運ばれる。これにより、筒体１０の内部の空気が冷却される。
【００４４】
そして、この照明装置１Ｂでは、冷却された空気を送風器３０で送り出すように構成されている。これにより、所定の場所を照らすとともに、その場所に冷たい空気を送ることができる。また、冷却体５５により、光源２０で発生した熱を吸収し、光源２０の温度上昇を抑制することができる。
【００４５】
図４は、照明装置１Ｂの使用例を示す図である。照明装置１Ｂは、投光方向Ｄ１及び送風方向Ｄ２が下側となるように造営材に取り付けられる。造営材には器具本体４９が予め設けられており、照明装置１Ｂの口金４１が、器具本体４９のソケットに取り付けられる。照明装置１Ｂは、筺体４０の突出部４０ｂに回転軸４３を有しており、投光方向Ｄ１及び送風方向Ｄ２を所望の方向に向けることができるように構成されている。
【００４６】
（まとめ）
本実施の形態に係る照明装置１、１Ａ又は１Ｂは、両端の少なくとも一方に開口部１０ｃを有する筒体１０と、筒体１０の外側面１０ｅの外側に設けられている光源２０と、筒体１０の内部の空気を開口部１０ｃを通して送り出す送風器３０とを備える。
【００４７】
この構成によれば、空調機能を有する照明装置を提供することができる。
【００４８】
また、照明装置１、１Ａ又は１Ｂは、照明装置で光を投光する投光方向Ｄ１と、空気を送り出す送風方向Ｄ２とが同じ方向であってもよい。
【００４９】
この構成によれば、所定の場所を照らすとともに、投光方向Ｄ１と同じ方向に空気を送り込むことができる。また、所定の場所の空気を循環させることができる。
【００５０】
また、筒体１０の外側面１０ｅには、光源２０を支持する支持部１１が形成され、光源２０は、半導体発光素子２１を含み、半導体発光素子２１の出射光が投光方向Ｄ１に出射するように支持部１１に設けられていてもよい。
【００５１】
この構成によれば、光源２０により発生した熱を、支持部１１を経由して筒体１０の内部に伝え、熱により暖められた筒体１０の内部の空気を外へ送り出すことができる。これにより、光源２０の温度上昇を抑制することができる。また、出射光の出射方向Ｄ３が投光方向Ｄ１と同じなので、明るさが低減することを抑制できる。
【００５２】
また、光源２０は、半導体発光素子２１を含み、半導体発光素子２１の出射光が投光方向Ｄ１と異なる方向に出射するように外側面１０ｅに設けられ、さらに、照明装置１Ａは、出射光を投光方向Ｄ１に反射する反射体５１を備えていてもよい。
【００５３】
この構成によれば、光源２０により発生した熱を、筒体１０から直接、筒体１０の内部に伝え、熱により暖められた筒体１０の内部の空気を外へ送り出すことができる。これにより、光源２０の温度上昇を抑制することができる。また、半導体発光素子２１の出射光が投光方向Ｄ１と異なる方向に出射される場合であっても、反射体５１を用いることで、投光方向Ｄ１に向けて照射することができる。
【００５４】
また、外側面１０ｅは、投光方向Ｄ１に対して傾斜して形成されていてもよい。
【００５５】
この構成によれば、光源２０を傾けて取付けることができる。これにより、筒体１０の長さを短くでき、照明装置１Ａを小型化することができる。
【００５６】
また、送風器３０は、複数の羽根を有する回転羽根３１と、回転羽根３１を回転させるモータ３２とにより構成され、回転羽根３１は、筒体１０の内部に設けられていてもよい。
【００５７】
このように、回転羽根３１を筒体１０の内部に設けることで、筒体１０の長さを短くでき、照明装置１、１Ａ又は１Ｂを小型化することができる。
【００５８】
また、さらに、筒体１０、光源２０及び送風器３０を収納する筺体４０と、光源２０及び送風器３０に電力を供給するための口金４１であって、筺体４０の、投光方向Ｄ１とは反対側の端部４０ｃに設けられている口金４１とを備えていてもよい。
【００５９】
この構成によれば、造営材に設けられた器具本体のソケットから口金４１を通じて電力を得て、光源２０及び送風器３０を駆動することができる。これにより、冷暖房機を取り付けるような特別な工事をすることなく、ランプを交換することで、所定の場所を照らすとともに、その場所に空気を送り込むことができる。
【００６０】
また、光源２０は、外側面の周囲近傍に複数配置されていてもよい。
【００６１】
この構成によれば、平面方向において、照明装置１、１Ａ又は１Ｂを小型化することができる。また、照明装置１、１Ａ又は１Ｂの明るさを向上させることができる。
【００６２】
また、さらに、透光性を有し、通気性を有しないカバー４５を備え、カバー４５は、開口部１０ｃを覆わず光源２０を覆うように、光源２０の投光方向Ｄ１に設けられていてもよい。
【００６３】
この構成によれば、送風方向Ｄ２への空気の送り出しをカバー４５で遮断することなく、カバー４５を用いて光源２０を保護することができる。
【００６４】
また、筒体１０には、筒体１０の内部に空気を取り入れるための通気孔４２が形成されていてもよい。
【００６５】
この構成によれば、通気孔４２から新鮮な空気を筒体１０の内部に取り入れることができる。これにより、光源２０により発生した熱を吸熱しやすくすることができる。
【００６６】
また、さらに、筒体１０の内部に、筒体１０の内部の空気を冷却する冷却体５５を備えていてもよい。
【００６７】
この構成によれば、所定の場所を照らすとともに、冷却体５５で冷やした空気を送ることができる。また、冷却体５５により、光源２０で発生した熱を吸収し、光源２０の温度上昇を抑制することができる。
【００６８】
また、光源２０は、外側面１０ｅの周囲に複数設けられており、冷却体５５は、筒体１０の内側面１０ｄに沿って筒体１０に当接されていてもよい。
【００６９】
この構成によれば、照明装置１Ｂの明るさを向上させるとともに、それぞれの光源２０により発生する熱の吸熱を行うことができる。
【００７０】
以上、照明装置について、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【符号の説明】
【００７１】
１、１Ａ、１Ｂ  照明装置
１０    筒体
１０ａ  側面部
１０ｂ  底面部
１０ｃ  開口部
１０ｄ  内側面
１０ｅ  外側面
１０ｆ  筒体軸
１１    支持部
２０    光源
２１    半導体発光素子
２２    実装基板
３０    送風器
３１    回転羽根
３２    モータ
４０    筺体
４０ａ  筺体本体
４０ｂ  突出部
４０ｃ  端部
４１    口金
４２    通気孔
４３    回転軸
４５    カバー
４９    器具本体
５１    反射体
５５    冷却体
５６    配管
５７    熱交換器
Ｄ１    投光方向
Ｄ２    送風方向
Ｄ３    出射方向
【図１Ａ】
2017091973.tif 000003
【図１Ｂ】
2017091973.tif 000004
【図２Ａ】
2017091973.tif 000005
【図２Ｂ】
2017091973.tif 000006
【図３Ａ】
2017091973.tif 000007
【図３Ｂ】
2017091973.tif 000008
【図４】
2017091973.tif 000009